(57)【要約】【課題】中空柱形状のコンタクトの姿勢を正しく維持する小型のジャックを提供する。【解決手段】ジャック１０はプラグ９と接続する。ハウジング１はプラグ挿入口１ａを開口しプラグ９を受容するプラグ収容室１１を有する。カバーハウジング２はハウジング１をスライド可能に閉塞する。コンタクト３・４は電線３ｗ・４ｗを圧着する圧着部３１・４１とプラグ９に接続するコンタクト部３２・４２を有する。コンタクト部３２は中空柱状部３ａを設け、コンタクト部４２は弾性屈曲片４ａを設ける。ハウジング１は、コンタクト部３２・４２の基端部が屈折されて電線３ｗ・４ｗが延出する電線挿通部１２を設ける。カバーハウジング２は、電線挿通部１２に向かって内壁から隆起し、カバーハウジング２のスライド方向と略平行に延びる隆起部２１と、隆起部２１から突出して中空柱状部３ａをプラグ挿入口１ａに向けて押圧する突条２２と、を設ける。【選択図】図１
2008130285.tif 000002
【特許請求の範囲】
【請求項１】
先端が開口された筒状の内側端子、及びこの内側端子の外周を絶縁可能に囲う筒状の外側端子を有するプラグと接続するジャックであって、
前記プラグが挿入されるプラグ挿入口を一方の面に開口し、当該プラグを受容するプラグ収容室を有する略直方体のハウジングと、
前記プラグ挿入口に対向する当該ハウジングの他方の面を前記プラグが挿入される方向と直交する方向からスライド可能に閉塞する略板状のカバーハウジングと、
前記ハウジングに配置されて前記内側端子に接続する第１コンタクトと、
前記ハウジングに配置されて前記外側端子に接続する第２コンタクトと、を備え、
前記第１コンタクトは、一端側に設けられ第１電線を圧着する第１圧着部と、他端側に設けられ前記プラグ収容室に収容されて前記内側端子が挿入される第１コンタクト部と、を有し、
前記第２コンタクトは、一端側に設けられ第２電線を圧着する第２圧着部と、他端側に設けられ前記第１コンタクト部に対向して前記外側端子に接触する第２コンタクト部と、を有し、
前記第１コンタクト部は、前記プラグ収容室の中央に位置する中空柱状部を設け、
前記第２コンタクト部は、前記プラグ収容室の内部に突出する弾性屈曲片を設け、
前記ハウジングは、前記第１コンタクト部及び前記第２コンタクト部の基端部が屈折されて当該第１電線及び当該第２電線が延出する電線挿通部を設け、
前記カバーハウジングは、前記電線挿通部に向かって内壁から隆起し当該カバーハウジングのスライド方向と略平行に帯状に延びる隆起部と、この隆起部から突出して前記第１コンタクトの中空柱状部を前記プラグ挿入口に向けて押圧する突条と、を設けるジャック。
【請求項２】
前記ハウジングは、前記第１コンタクト部を収容する第１収容室と、前記第２コンタクト部を収容する第２収容室と、を有し、
前記第１収容室は、前記第１コンタクト部が挿入される第１開口を前記ハウジングの他方の面に開口し、かつ、前記プラグ収容室に連通し、
前記第２収容室は、前記第２コンタクト部が挿入される第２開口を前記ハウジングの他方の面に開口し、かつ、前記プラグ収容室に連通している請求項１記載のジャック。
【請求項３】
前記第１コンタクト部は、前記中空柱状部の基端部の一部が当該中空柱状部の軸方向と直交する方向に延びる短片と長片からなる一組の直交片と、これらの直交片の長片の先端部が前記短片に対向するように屈折されて更に屈折されて当該中空柱状部の先端側と対向する対向片と、を有し、
前記第１収容室は、前記第１開口の周辺に設けられ前記一組の直交片に係合して当該中空柱状部の主軸を中心とする回転を抑制する第１係止部と、前記第１開口の周辺に設けられ前記長片の一部に係合して当該中空柱状部を所定の位置に止める第２係止部と、を有する請求項２記載のジャック。
【請求項４】
前記第２コンタクト部は、一端の一部が前記第２圧着部の基端部と結合し、他端が前記弾性屈曲片の基端部に結合して当該弾性屈曲片と対向する矩形の背面板を有し、
前記第２収容室は、前記背面板の両翼を案内し、前記第２開口から当該第２収容室の底部に向かう一対のスリットを有する請求項２又は３記載のジャック。
【請求項５】
前記ハウジングに配置されて前記第２コンタクトに接続する第３コンタクトを更に備え、
第３コンタクトは、一端側に設けられ第３電線を圧着する第３圧着部と、他端側に設けられ前記弾性屈曲片に接触する平板状の第３コンタクト部と、を有し、
前記プラグを前記プラグ収容室に挿入すると、前記弾性屈曲片が変位して前記第３コンタクト部から離反する請求項１から４のいずれかに記載のジャック。
【請求項６】
前記第２コンタクト部の弾性屈曲片は、当該弾性屈曲片の先端部が屈曲して当該弾性屈曲片の基端部に向かって延びる折り返し片と、この折り返し片の両翼に互いに相反する向きに延びる一対の接触片と、を含み、
前記第３コンタクト部は、前記弾性屈曲片が当接しないように先端側から基端側に向かって矩形に切り欠かれる逃げ部と、この逃げ部の両翼に設けられ前記一対の接触片が当接可能な一対の接触部と、を含み、
前記プラグを前記プラグ収容室に挿入すると、前記一対の接触片が変位して前記一対の接触部から離反する請求項５記載のジャック。
【発明の詳細な説明】
【技術分野】
【０００１】
本発明は、ジャックに関する。特に、携帯型電子機器などに使用され、電気的な信号やエネルギを伝達するジャックの構造に関する。
【背景技術】
【０００２】
携帯型電子機器は直流で動作されるものが多く、ＡＣアダプタによって家庭用の交流電源の電圧をステップダウンさせると同時に直流に変換して携帯型電子機器の電源としている。多くのＡＣアダプタはプラグ付きケーブルが用いられており、このプラグが携帯型電子機器に備えられる直流用の電源ジャックに挿入されて電気的に接続され、携帯型電子機器に直流電源が供給される。
【０００３】
このような電源ジャックの例としては、ジャックは、中空柱形状のコンタクトとＪ字型のコンタクトとを備え、これら両コンタクトと専用の電線とを圧着により電気的に接合している。そして、これらの圧着部を機械的な変形にさらされ難いジャックのハウジング内に配置し、更に、ジャックから延出する両電線によっても、これらの圧着部に機械的な力が働きにくい構造としたジャックが発明されている（例えば、特許文献１参照）。
【０００４】
前述の特許文献１によるジャックは、組立時又は使用時に機械的な変形を受けても接触不良を起こしにくいことを特徴としている。
【特許文献１】特開２００３−３３２０００号公報
【発明の開示】
【発明が解決しようとする課題】
【０００５】
特許文献１によるジャックは、プラグが挿入される円形の開口を有するプラグ収容室の中央に、中空柱形状のコンタクトが配置されている。そして、先端が開口された筒状の内側端子を備えるプラグをプラグ収容室に挿入して、内側端子と中空柱形状のコンタクトを嵌合させている。
【０００６】
例えば、特許文献１によるジャックは、ノートパソコンに使用され、液晶パネルが開閉可能に連結するコンピュータ本体の側面パネルに実装されている。一方、近年では、液晶パネルや外部との接続端子を搭載し、パソコンのもつ機能の内のいくつかを備え、手のひらに収まるくらいの大きさのＰＤＡ（Ｐｅｒｓｏｎａｌ  Ｄｉｇｉｔａｌ  Ａｓｓｉｓｔａｎｔｓ）が普及している。そして、このＰＤＡの側面パネルに直流用の電源ジャックが実装されている。
【０００７】
このようなＰＤＡの本体の厚さは、ノートパソコンのコンピュータ本体の厚さの半分以下であり、ジャックが小型化される。すなわち、ジャックに備わるハウジングやコンタクトなどが小型化される。
【０００８】
しかし、ジャックに備わるハウジングやコンタクトなどを小さくすると、中空柱形状のコンタクトの姿勢の維持が困難となり、このコンタクトが傾くことにより、プラグを挿入することが困難になる。特許文献１によるジャックの利点を活かしつつ、中空柱形状のコンタクトの姿勢を正しく維持する小型のジャックが求められる。更に、このような小型のジャックにプラグが挿入されたことを検知する機能を付加すれば、便利である。そして、以上のことが本発明の課題といってよい。
【０００９】
本発明は、このような問題に鑑みてなされたものであり、中空柱形状のコンタクトの姿勢を正しく維持し、プラグの挿入検知機能を有する小型のジャックを提供することを目的とする。
【課題を解決するための手段】
【００１０】
本発明者らは、中空柱形状のコンタクトの基端側を閉塞するカバーハウジングの内壁に、当該コンタクトを付勢する突条を設けることにより、当該コンタクトの姿勢を維持でき、更に、プラグの外周に接触するＪ字型のコンタクトと接続するスイッチコンタクトを設けてプラグの挿入が検知可能なことを見出し、これに基づいて、以下のような新たな小型のジャックを発明するに至った。
【００１１】
（１）  先端が開口された筒状の内側端子、及びこの内側端子の外周を絶縁可能に囲う筒状の外側端子を有するプラグと接続するジャックであって、前記プラグが挿入されるプラグ挿入口を一方の面に開口し、当該プラグを受容するプラグ収容室を有する略直方体のハウジングと、前記プラグ挿入口に対向する当該ハウジングの他方の面を前記プラグが挿入される方向と直交する方向からスライド可能に閉塞する略板状のカバーハウジングと、前記ハウジングに配置されて前記内側端子に接続する第１コンタクトと、前記ハウジングに配置されて前記外側端子に接続する第２コンタクトと、を備え、前記第１コンタクトは、一端側に設けられ第１電線を圧着する第１圧着部と、他端側に設けられ前記プラグ収容室に収容されて前記内側端子が挿入される第１コンタクト部と、を有し、前記第２コンタクトは、一端側に設けられ第２電線を圧着する第２圧着部と、他端側に設けられ前記第１コンタクト部に対向して前記外側端子に接触する第２コンタクト部と、を有し、前記第１コンタクト部は、前記プラグ収容室の中央に位置する中空柱状部を設け、前記第２コンタクト部は、前記プラグ収容室の内部に突出する弾性屈曲片を設け、前記ハウジングは、前記第１コンタクト部及び前記第２コンタクト部の基端部が屈折されて当該第１電線及び当該第２電線が延出する電線挿通部を設け、前記カバーハウジングは、前記電線挿通部に向かって内壁から隆起し当該カバーハウジングのスライド方向と略平行に帯状に延びる隆起部と、この隆起部から突出して前記第１コンタクトの中空柱状部を前記プラグ挿入口に向けて押圧する突条と、を設けるジャック。
【００１２】
（１）の発明によるジャックは、先端が開口された筒状の内側端子、及び内側端子の外周を絶縁可能に囲う筒状の外側端子を有するプラグと接続する。そして、（１）の発明によるジャックは、略直方体のハウジングと略板状のカバーハウジングを備えている。ハウジングは、プラグが挿入されるプラグ挿入口を一方の面に開口し、プラグを受容するプラグ収容室を有している。カバーハウジングは、プラグ挿入口に対向するハウジングの他方の面をプラグが挿入される方向と直交する方向からスライド可能に閉塞する。
【００１３】
又、（１）の発明によるジャックは、第１コンタクトと第２コンタクトを備えている。第１コンタクトは、ハウジングに配置されて、内側端子に接続する。第２コンタクトは、ハウジングに配置されて、外側端子に接続する。第１コンタクトは、第１圧着部と第１コンタクト部を有している。第１圧着部は、第１コンタクトの一端側に設けられ、第１電線を圧着する。第１コンタクト部は、第１コンタクトの他端側に設けられ、プラグ収容室に収容されて内側端子が挿入される。第２コンタクトは、第２圧着部と第２コンタクト部を有している。第２圧着部は、第２コンタクトの一端側に設けられ、第２電線を圧着する。第２コンタクト部は、第２コンタクトの他端側に設けられ、第１コンタクト部に対向し、外側端子に接触する。
【００１４】
第１コンタクト部は、プラグ収容室の中央に位置する中空柱状部を設けている。第２コンタクト部は、プラグ収容室の内部に突出する弾性屈曲片を設けている。又、ハウジングは、第１コンタクト部及び第２コンタクト部の基端部が屈折されて、第１電線及び第２電線が延出する電線挿通部を設けている。更に、カバーハウジングは、隆起部と突条を設けている。隆起部は、電線挿通部に向かって内壁から隆起し、カバーハウジングのスライド方向と略平行に帯状に延びている。突条は、隆起部から突出し、第１コンタクトの中空柱状部をプラグ挿入口に向けて押圧している。
【００１５】
ここで、プラグは、ジャックと電気的に接続するために、ケーブルの先端に取り付けられる接続器であってよく、導電性金属で形成された筒状の内側端子及び外側端子を有している。内側端子は、先端が開口されてよく、第１コンタクトの中空柱状部が挿入可能である。内側端子の外周は絶縁性の合成樹脂で被覆されてよく、外側端子で囲われる。外側端子には、第２コンタクトの弾性屈曲片が接触する。外側端子の先端は開口されてよく、内側端子の先端面と外側端子の先端面とは、揃っていることが好ましい。
【００１６】
プラグは、内側端子と外側端子とが同心円状に配置される二重管構造であってよく、プラグの基端側は、絶縁性の合成樹脂で被覆されてよく、ケーブルが延出される。このプラグの基端側が把持されて、ジャックに挿抜される。ここで、プラグは、内側端子及び外側端子の軸方向と平行にケーブルが延出する、いわゆるストレートタイプであってもよく、内側端子及び外側端子の軸方向と直角にケーブルが延出する、いわゆるＬ形タイプであってもよい。
【００１７】
ハウジング及びカバーハウジングは、絶縁性を有してよく、非導電性の材料からなっている。非導電性の合成樹脂を成形して、所望の形状のハウジング及びカバーハウジングを得ることができる。ハウジングとカバーハウジングとは、同じ材料からなることが好ましいが、異なる材料からなることを排除しない。
【００１８】
ハウジングは、略直方体の形状であるが、後述する電線挿通部がハウジングの一部から突出することを排除しない。同様に、カバーハウジングは、略板状の形状であるが、ハウジングに設けられた電線挿通部を覆う部分が突出することを排除しない。
【００１９】
例えば、ハウジングは、プラグ挿入口が開口した一方の面が矩形に形成されてよく、プラグ挿入口に対向するハウジングの他方の面は、前記一方の面と一方の両辺が同じであり、他方の両辺が前記一方の面の両辺より長くなっている矩形に形成されている。そして、このハウジングの側面視は、略Ｌ字状になっている。ハウジングの他方の面には、後述する第１及び第２開口が開口される。
【００２０】
プラグ挿入口は、ハウジングの外部からプラグが挿入される開口であってよく、ハウジングの一方の面は、プラグが挿入されるための面積、又は外形を有している。例えば、プラグ挿入口は、プラグが挿入されるときにのみ開く開口であってもよく、ヒンジで結合された扉で開口が密閉され、プラグが挿入されると連動して、前記扉が開く機構を備えた開口を含むことができる。
【００２１】
プラグ挿入口は、プラグの外側端子に適合する形状が好ましく、例えば、円形であってもよく、正四角形を含む矩形であってもよい。プラグ挿入口が円形の場合は、プラグ収容室は略円柱形状の空間となってよく、プラグ挿入口が矩形の場合は、プラグ収容室は略直方体状の空間となってもよい。プラグ挿入口が円形であって、プラグ収容室は略直方体状の空間となってもよい。
【００２２】
ハウジングの一方の面とは、プラグが挿入される側の面であって、例えば、この一方の面がパネルから露出してもよく、プラグ挿入口以外の一方の面が、このパネルで遮蔽されてもよい。一方の面は、平面であってもよく、凹凸が形成される場合も一方の面に含まれる。例えば、円形のプラグ挿入口を内円とする筒体が一方の面から突出形成される場合も、一方の面に含まれる。一方の面は表面（オモテ面）と呼称される場合もある。又、プラグ挿入口と対向する他方の面は裏面（ウラ面）と呼称される場合もある。
【００２３】
プラグ収容室は、プラグを受容する空間であってよく、第１及び第２コンタクトを保持又は収納する空間であってよく、ハウジング内に形成される。第１及び第２コンタクト部は、プラグ収容室に挿入、保持、収納などにより配置されてよく、プラグをプラグ収容室に挿入することにより、第１及び第２コンタクトが接続される。
【００２４】
カバーハウジングがハウジングの他方の面を閉塞するとは、少なくともハウジングの他方の面がカバーハウジングで覆われることにより、外部からハウジングの他方の面が見えなくなることや、外部からハウジングの他方の面が電気的又は物理的に接触できなくなることを含んでいる。
【００２５】
相反する向きに開放する一対のスライド溝をハウジングの他方の面の両翼に設け、これらのスライド溝に案内される対向する一対の案内片をカバーハウジングの内壁に設け、カバーハウジングは、プラグが挿入される方向と直交する方向からハウジングの他方の面をスライド可能に閉塞することができる。一対のランスをハウジングの他方の面の両翼に設け、これらのランスに係合する一対の係止穴をカバーハウジングの対向する内壁に設け、ハウジングにカバーハウジングを係止できる。
【００２６】
第１及び第２コンタクト、及び後述する第３コンタクトは、導電性を有し、展開された導電性の金属板が折り曲げ成形されて、所望の形状のコンタクトを得ることができる。第１から第３コンタクトは、銅合金などの導電性や展伸性に優れた材料が好ましく用いられるが、銅合金に限定されない。
【００２７】
第１及び第２電線、及び後述する第３電線は、電流が流れる導線と、この導線を外部から絶縁する被覆とで構成されてよく、導線は単線でよく、より線でもよい。第１から第３電線は、単線とより線が混在すると、圧着作業の効率性から良くなく、単線とより線のいずれか一方に統一されることが好ましい。被覆の色を異ならせることにより、例えば、電線に接続されるコンタクトの極性を識別できる。そして、これらの電線の一方の端末が圧着される。又、対に構成される電線の一方の端末が圧着されることを排除しない。
【００２８】
第１及び第２圧着部、及び後述する第３圧着部は、電線の端末の被覆が剥離された導線を圧着するコンダクタグリップが設けられ、この導線近傍の被覆を圧着するインシュレーショングリップが設けられている。電線を圧着するとは、一般に圧着端子において、Ｕ字状に開口した圧着端子の一部が導線及び被覆を包み込むようにして折り曲げて、その塑性変形により電線を固定することをいう。この固定により、コンダクタグリップは、導線を電気的及び機械的に接続し、インシュレーショングリップは電線を機械的に固定する。
【００２９】
第１及び第２圧着部に第１及び第２電線がそれぞれ圧着された後に、第１及び第２コンタクトは、ハウジングに配置される。第１コンタクトは、他端側の第１コンタクト部に中空柱状部が設けられた、いわゆるピンコンタクトであってよく、この中空柱状部がプラグ収容室の中央に位置するように、ハウジングに配置される。第２コンタクトは、他端側の第２コンタクト部に弾性屈曲片が設けられた、いわゆるベローズコンタクトであってよく、この弾性屈曲片がプラグ収容室の内部に突出するように、ハウジングに配置される。
【００３０】
そして、第１及び第２コンタクト部の基端部が屈折されて、第１及び第２電線が電線挿通部から延出する。なお、第１及び第２電線は、第１及び第２圧着部から所定長さに予め切断されている。又、電線挿通部は、ハウジングの他方の面を含むことができる。
【００３１】
カバーハウジングは、隆起部が電線挿通部に向かって内壁から隆起するとは、隆起部が第１及び第２コンタクト部の基端部に向かって内壁から隆起していることを意味している。このカバーハウジングをスライドして、ハウジングの他方の面を閉塞すると、帯状に延びる隆起部の隆起面が第１及び第２コンタクト部の基端部に対向する。突条は、細長く延びてよく、隆起部からＶ字状に突出する。このＶ字状に突出した突条の先端は、線状に隆起部と略平行に延びて、第１コンタクト部の基端面に当接することができる。
【００３２】
例えば、ノートパソコンに適用可能な従来のジャックにおいて、中空柱形状のコンタクトの基端部はハウジングによる保持代が大きく、このコンタクトの姿勢の維持が容易であった。一方、ＰＤＡに適用可能な本発明による小型のジャックおいて、中空柱状部を主構成とする第１コンタクト部の基端部は、ハウジングによる保持代が極めて少なくなっている。したがって、中空柱状部の先端の振れが大きくなり、すなわち、第１コンタクトの姿勢の維持が困難となる。
【００３３】
（１）の発明によるジャックは、カバーハウジングに設けられた隆起部の隆起面と中空柱状部の基端部とのクリアランスに突条が突出し、この突条が第１コンタクトの中空柱状部をプラグ挿入口に向けて押圧することにより、第１コンタクトの姿勢が維持できるようにした。
【００３４】
このように、（１）の発明によるジャックは、中空柱形状のコンタクトの基端側を閉塞するカバーハウジングの内壁に突条を設け、この突条が中空柱形状のコンタクトの基端側を押圧することにより、当該コンタクトの姿勢を維持する小型のジャックを提供できる。
【００３５】
（２）  前記ハウジングは、前記第１コンタクト部を収容する第１収容室と、前記第２コンタクト部を収容する第２収容室と、を有し、前記第１収容室は、前記第１コンタクト部が挿入される第１開口を前記ハウジングの他方の面に開口し、かつ、前記プラグ収容室に連通し、前記第２収容室は、前記第２コンタクト部が挿入される第２開口を前記ハウジングの他方の面に開口し、かつ、前記プラグ収容室に連通している（１）記載のジャック。
【００３６】
（２）の発明によるジャックは、ハウジングが第１収容室と第２収容室を有している。第１収容室は、第１コンタクト部を収容し、第２収容室は、第２コンタクト部を収容している。第１収容室は、第１コンタクト部が挿入される第１開口をハウジングの他方の面に開口している。又、第１収容室は、プラグ収容室に連通している。一方、第２収容室は、第２コンタクト部が挿入される第２開口をハウジングの他方の面に開口している。又、第２収容室は、プラグ収容室に連通している。
【００３７】
ここで、第１開口は、中空柱状部が挿入されるために円形に開口されてよく、第１コンタクト部は、第１収容室に圧入されるように挿入されて、保持される。この第１開口の周辺には、後述する第１及び第２係止部を設けることができる。第２開口は、弾性屈曲片が挿入されるために矩形に開口されてよく、第２収容室は、後述する一対のスリットを含むことができる。又、第２収容室は底部を有することが好ましい。
【００３８】
第１及び第２コンタクト部が第１及び第２収容室に収容された後に、第１及び第２コンタクト部の基端部が屈折されて、第１及び第２電線が電線挿通部に延出するようにしてよく、予め第１及び第２コンタクト部の基端部が屈折されて、第１及び第２コンタクト部が第１及び第２収容室に収容されてもよい。
【００３９】
（２）の発明によるジャックは、ハウジングが、第１コンタクト部を収容する第１収容室と、第２コンタクト部を収容する第２収容室と、を有しており、第１及び第２コンタクトをハウジングの他方の面から容易に組み立てることができる。
【００４０】
（３）  前記第１コンタクト部は、前記中空柱状部の基端部の一部が当該中空柱状部の軸方向と直交する方向に延びる短片と長片からなる一組の直交片と、これらの直交片の長片の先端部が前記短片に対向するように屈折されて更に屈折されて当該中空柱状部の先端側と対向する対向片と、を有し、前記第１収容室は、前記第１開口の周辺に設けられ前記一組の直交片に係合して当該中空柱状部の主軸を中心とする回転を抑制する第１係止部と、前記第１開口の周辺に設けられ前記長片の一部に係合して当該中空柱状部を所定の位置に止める第２係止部と、を有する（２）記載のジャック。
【００４１】
（３）の発明によるジャックは、第１コンタクト部が一組の直交片と対向片を有している。一組の直交片は、短片と長片からなり、短片及び長片は、中空柱状部の基端部の一部が中空柱状部の軸方向と直交する方向に延びている。対向片は、直交片の長片の先端部が短片に対向するように屈折され、更に屈折されて中空柱状部の先端側と対向している。
【００４２】
又、（３）の発明によるジャックは、第１収容室が第１係止部と第２係止部を有している。第１係止部は、第１開口の周辺に設けられ、一組の直交片に係合して中空柱状部の主軸を中心とする回転を抑制する。第２係止部は、第１開口の周辺に設けられ、長片の一部に係合して中空柱状部を所定の位置に止める。
【００４３】
例えば、第１係止部は、隅部が第１開口を部分的に形成し、この隅部に直交する一組の立設壁を含むことができる。そして、中空柱状部の主軸が一方の方向に回転しようとすると、直交片が一方の立設壁に当接して回転が抑制される。中空柱状部の主軸が他方の方向に回転しようとすると、直交片が他方の立設壁に当接して回転が抑制される。
【００４４】
第２係止部は、第１開口の周辺に設けられるランスとすることができる。このランスは、先端部に斜面を設けてよく、この斜面に連続する段差を設けてよく、槍状に形成される。中空柱状部を第１開口に挿入すると、長片がランスの斜面に当接して、ランスの先端部を撓ますことができる。中空柱状部を第１開口に完全に挿入すると、ランスが復帰して段差が長片の一部に係合して中空柱状部を所定の位置に止めることができる。
【００４５】
突条は、中空柱状部をプラグ挿入口に向けて押圧するとは、突条が中空柱状部の先端側と対向する対向片を押圧することに相当している。突条の進入方向側が低くなるように、対向片に段差を設けることにより、突条は対向片を押圧しつつスライドできる。
【００４６】
（４）  前記第２コンタクト部は、一端の一部が前記第２圧着部の基端部と結合し、他端が前記弾性屈曲片の基端部に結合して当該弾性屈曲片と対向する矩形の背面板を有し、前記第２収容室は、前記背面板の両翼を案内し、前記第２開口から当該第２収容室の底部に向かう一対のスリットを有する（２）又は（３）記載のジャック。
【００４７】
（４）の発明によるジャックは、第２コンタクト部が矩形の背面板を有している。背面板の一端の一部は、第２圧着部の基端部と結合している。背面板の他端は、弾性屈曲片の基端部に結合し、弾性屈曲片と対向している。又、（４）の発明によるジャックは、第２収容室が一対のスリットを有している。一対のスリットは、背面板の両翼を案内し、第２開口から第２収容室の底部に向かっている。
【００４８】
第２コンタクト部は、矩形の背面板と弾性屈曲片とで構成されてよく、縦断面がＪ字型に形成される。背面板と弾性屈曲片とは屈曲部で結合されてよく、この屈曲部は、弾性屈曲片の弾性による戻し力を担保している。
【００４９】
（４）の発明によるジャックは、第２収容室が、第２コンタクト部を第２収容室に導くように、背面板の両翼を案内する一対のスリットを含んでいる。一対のスリットは、背面板の両翼を挿入し、第２コンタクト部をスムーズにハウジングに挿入するように、背面板の動きを一方向に制限できる。背面板にコンタクトランスを設け、第２収容室にこのコンタクトランスに係合する係止穴を設け、第２コンタクト部が所定の位置で係止できるようにしてもよい。
【００５０】
（５）  前記ハウジングに配置されて前記第２コンタクトに接続する第３コンタクトを更に備え、第３コンタクトは、一端側に設けられ第３電線を圧着する第３圧着部と、他端側に設けられ前記弾性屈曲片に接触する平板状の第３コンタクト部と、を有し、前記プラグを前記プラグ収容室に挿入すると、前記弾性屈曲片が変位して前記第３コンタクト部から離反する（１）から（４）のいずれかに記載のジャック。
【００５１】
（５）の発明によるジャックは、第３コンタクトを更に備えている。第３コンタクトは、ハウジングに配置されて、第２コンタクトに接続する。第３コンタクトは、第３圧着部と平板状の第３コンタクト部を有している。第３圧着部は、第３コンタクトの一端側に設けられ、第３電線を圧着する。第３コンタクト部は、第３コンタクトの他端側に設けられ、弾性屈曲片に接触する。そして、プラグをプラグ収容室に挿入すると、弾性屈曲片が変位して第３コンタクト部から離反する。
【００５２】
ここで、第３コンタクト部は、第２開口から挿入されてよく、第２収容室に収容される。第２収容室には、第３コンタクト部の両翼を案内する一対のスリットを設けてよく、第３コンタクト部は、この一対のスリットにガイドされて、第２コンタクト部に隣接してハウジングに配置される。第３電線は、電線挿通部に延出できる。
【００５３】
第２コンタクトと第３コンタクトとは、ジャックにプラグが挿入されたことを検知するスイッチを構成していると考えることができる。ジャックにプラグが挿入されていないときは、第２コンタクトと第３コンタクトは接（オン）状態である。ジャックにプラグが挿入されたときは、第２コンタクトと第３コンタクトは断（オフ）状態である。
【００５４】
例えば、本発明によるジャックを備える電子機器の内部に、第２コンタクトと第３コンタクトのオン・オフ状態を検知する回路を設けてよく、ジャックにプラグが挿入されたことを表示するモニタランプをこの電子機器に設けることもできる。（５）の発明によるジャックは、ジャックにプラグが挿入されたことを検知する機能が付加されているので、便利である。
【００５５】
（６）  前記第２コンタクト部の弾性屈曲片は、当該弾性屈曲片の先端部が屈曲して当該弾性屈曲片の基端部に向かって延びる折り返し片と、この折り返し片の両翼に互いに相反する向きに延びる一対の接触片と、を含み、前記第３コンタクト部は、前記弾性屈曲片が当接しないように先端側から基端側に向かって矩形に切り欠かれる逃げ部と、この逃げ部の両翼に設けられ前記一対の接触片が当接可能な一対の接触部と、を含み、前記プラグを前記プラグ収容室に挿入すると、前記一対の接触片が変位して前記一対の接触部から離反する（５）記載のジャック。
【００５６】
（６）の発明によるジャックは、第２コンタクト部の弾性屈曲片が折り返し片と一対の接触片を含んでいる。折り返し片は、弾性屈曲片の先端部が屈曲して、弾性屈曲片の基端部に向かって延びている。一対の接触片は、折り返し片の両翼に互いに相反する向きに延びている。
【００５７】
又、（６）の発明によるジャックは、第３コンタクト部が逃げ部と一対の接触部を含んでいる。逃げ部は、弾性屈曲片が当接しないように、先端側から基端側に向かって矩形に切り欠かれている。一対の接触部は、逃げ部の両翼に設けられ、一対の接触片が当接可能となっている。そして、プラグをプラグ収容室に挿入すると、一対の接触片が変位して一対の接触部から離反する。
【００５８】
ここで、折り返し片は、弾性屈曲片の先端部が屈曲してよく、背面板と弾性屈曲片との間を弾性屈曲片の基端部に向かって延びている。ジャックにプラグが挿入されていないときは、弾性屈曲片は、逃げ部を通過して、プラグ収容室の内部に突出している。ジャックにプラグが挿入されたときは、弾性屈曲片は後退するように変位して、一対の接触片が一対の接触部から離反する。
【００５９】
一対の接触片と一対の接触部とは、ジャックにプラグが挿入されたことを検知するスイッチを構成していると考えることができる。ジャックにプラグが挿入されていないときは、一対の接触片と一対の接触部はオン状態である。ジャックにプラグが挿入されたときは、一対の接触片と一対の接触部はオフ状態である。
【００６０】
（６）の発明によるジャックは、プラグの挿入検知機能を有するスイッチ端子となる第３コンタクトをハウジングにコンパクトに収容している。
【発明の効果】
【００６１】
本発明によるジャックは、中空柱形状のコンタクトの基端側を閉塞するカバーハウジングの内壁に突条を設け、この突条が中空柱形状のコンタクトの基端側を押圧することにより、当該コンタクトの姿勢を維持する小型のジャックを提供できる。
【発明を実施するための最良の形態】
【００６２】
以下、図面を参照して本発明を実施するための最良の形態を説明する。
【００６３】
図１は、本発明の一実施形態によるジャックの斜視分解組立図である。図２は、前記実施形態によるジャックの斜視外観図であり、第２コンタクトがハウジングに組み込まれる前の状態図である。図３は、前記実施形態によるジャックの斜視外観図であり、第３コンタクトがハウジングに組み込まれる前の状態図である。図４は、前記実施形態によるジャックの斜視外観図であり、第１コンタクトがハウジングに組み込まれる前の状態図である。
【００６４】
図５は、前記実施形態によるジャックの斜視外観図であり、ハウジングに第１から第３コンタクトが組み込まれたジャックを他方の面から観ている。図６は、前記実施形態によるジャックの斜視外観図であり、カバーハウジングがハウジングに組み込まれる前の状態図である。図７は、前記実施形態によるジャックの斜視外観図であり、カバーハウジングがハウジングに組み込まれた状態図である。図８は、前記実施形態によるジャックの斜視外観図であり、図７と異なる方向からジャックを観ている。
【００６５】
図９は、前記実施形態によるジャックの斜視外観図であり、ジャックをハウジングの一方の面から観ている。図１０は、前記実施形態によるジャックに備わるカバーハウジングの斜視外観図である。図１１は、前記実施形態によるジャックに備わるハウジングの斜視外観図である。図１２は、前記実施形態によるジャックに備わる第２コンタクトの斜視外観図であり、図１と異なる方向から第２コンタクトを観ている。
【００６６】
図１３は、前記実施形態によるジャックに備わるハウジングの平面図である。図１４は、前記実施形態によるジャックに備わる第１コンタクトを示す図であり、図１４（Ａ）は第１コンタクトの平面図、図１４（Ｂ）は第１コンタクトの右側面図である。図１５は、前記実施形態によるジャックに備わる第２コンタクトを示す図であり、図１５（Ａ）は第２コンタクトの平面図、図１５（Ｂ）は第２コンタクトの右側面図である。図１６は、前記実施形態によるジャックに備わる第３コンタクトを示す図であり、図１６（Ａ）は第３コンタクトの平面図、図１６（Ｂ）は第３コンタクトの右側面図である。
【００６７】
図１７は、前記実施形態によるジャックの縦断面図である。図１８は、前記実施形態によるジャックの縦断面図であり、図１７のＸ−Ｘ矢視断面を示している。
【００６８】
最初に、本発明によるジャックの構成の概略を説明する。図１において、ジャック１０はプラグ９と接続する。プラグ９は、先端が開口された筒状の内側端子９１と、内側端子９１の外周を絶縁可能に囲う筒状の外側端子９２と、を有している。図１及び図６において、ジャック１０は、略直方体のハウジング１と略板状のカバーハウジング２を備えている。
【００６９】
図１において、ハウジング１は、プラグ９が挿入されるプラグ挿入口１ａを一方の面１ａａに開口している（図９参照）。又、ハウジング１は、プラグ９を受容するプラグ収容室１１を有している（図９又は図１７参照）。カバーハウジング２は、プラグ挿入口１ａに対向するハウジング１の他方の面１ｂｂを、プラグ９が挿入される方向と直交する方向からスライド可能に閉塞する（図９参照）。
【００７０】
図１又は図１７において、ジャック１０は、第１コンタクト３と第２コンタクト４を備えている。第１コンタクト３は、ハウジング１に配置されて、内側端子９１に接続する。第２コンタクト４は、ハウジング１に配置されて、外側端子９２に接続する。
【００７１】
図１において、第１コンタクト３は、第１圧着部３１と第１コンタクト部３２を有している。第１圧着部３１は、第１コンタクト３の一端側に設けられ、第１電線３ｗを圧着している（図４参照）。第１コンタクト部３２は、第１コンタクト３の他端側に設けられ、プラグ収容室１１に収容されて内側端子９１が挿入される（図９又は図１７参照）。
【００７２】
図１において、第２コンタクト４は、第２圧着部４１と第２コンタクト部４２を有している。第２圧着部４１は、第２コンタクト４の一端側に設けられ、第２電線４ｗを圧着している（図１２参照）。第２コンタクト部４２は、第２コンタクト４の他端側に設けられ、第１コンタクト部３２に対向し、外側端子９２に接触する（図１７参照）。
【００７３】
図１において、第１コンタクト部３２は、プラグ収容室１１の中央に位置する中空柱状部３ａを設けている（図１７及び図１８参照）。第２コンタクト部４２は、プラグ収容室１１の内部に突出する弾性屈曲片４ａを設けている（図１７参照）。
【００７４】
又、図１において、ハウジング１は、第１コンタクト部３２の基端部及び第２コンタクト部４２の基端部が屈折されて、第１電線３ｗ及び第２電線４ｗが延出する電線挿通部１２を設けている（図５参照）。
【００７５】
更に、図１０に示されるように、カバーハウジング２は、隆起部２１と突条２２を設けている。隆起部２１は、電線挿通部１２に向かって内壁から隆起し、カバーハウジング２のスライド方向と略平行に帯状に延びている（図１参照）。突条２２は、隆起部２１から突出し、第１コンタクト３の中空柱状部３ａをプラグ挿入口１ａに向けて押圧している（図１８参照）。
【００７６】
図１又は図１７において、ジャック１０は、第３コンタクト５を更に備えている。第３コンタクト５は、ハウジング１に配置されて、第２コンタクト４に接続する。図１において、第３コンタクト５は、第３圧着部５１と平板状の第３コンタクト部５２を有している。第３圧着部５１は、第３コンタクト５の一端側に設けられ、第３電線５ｗを圧着している。第３コンタクト部５２は、第３コンタクト５の他端側に設けられ、弾性屈曲片４ａに接触する（図１７参照）。プラグ９をプラグ収容室１１に挿入すると、弾性屈曲片４ａが変位して第３コンタクト部５２から離反する。
【００７７】
図１又は図２において、ハウジング１は、第１収容室１３と第２収容室１４を有している。第１収容室１３は、第１コンタクト部３２を収容している（図１７参照）。第２収容室１４は、第２コンタクト部４２と第３コンタクト部５２を収容している（図１７参照）。
【００７８】
図１又は図４において、第１収容室１３は、第１コンタクト部３２が挿入される第１開口１３ａをハウジング１の他方の面１ｂｂに開口している。又、第１収容室１３は、プラグ収容室１１に連通している（図１７参照）。一方、図１又は図２において、第２収容室１４は、第２コンタクト部４２が挿入される第２開口１４ａをハウジング１の他方の面１ｂｂに開口している。又、第２収容室１４は、プラグ収容室１１に連通している（図１７参照）。
【００７９】
図４において、第１コンタクト部３２は、一組の直交片３ｂｃと対向片３ｅを有している。一組の直交片３ｂｃは、短片３ｂと長片３ｃからなり、短片３ｂ及び長片３ｃは、中空柱状部３ａの基端部の一部が中空柱状部３ａの軸方向と直交する方向に延びている。対向片３ｅは、直交片３ｂｃの長片３ｃの先端部が短片３ｂに対向するように屈折されて、短片３ｄを形成し、更に、短片３ｄが屈折されて、中空柱状部３ａの先端側と対向している。
【００８０】
一方、図４及び図１３において、第１収容室１３は、第１係止部１３１と第２係止部１３２を有している。第１係止部１３１は、第１開口１３ａの周辺に設けられ、一組の直交片３ｂｃに係合して中空柱状部３ａの主軸を中心とする回転を抑制する。第２係止部１３２は、第１開口１３ａの周辺に設けられ、長片３ｃの一部に係合して中空柱状部３ａを所定の位置に止める。
【００８１】
図２において、第２コンタクト部４２は、矩形の背面板４ｂを有している。背面板４ｂの一端の一部は、第２圧着部４１の基端部と結合している。背面板４ｂの他端は、弾性屈曲片４ａの基端部に結合し、弾性屈曲片４ａと対向している（図１２参照）。又、図１３において、第２収容室１４は、一対のスリット１４１・１４２を有している。一対のスリット１４１・１４２は、背面板４ｂの両翼を案内し、第２開口１４ａから第２収容室１４の底部に向かっている。
【００８２】
図１２において、第２コンタクト部４２の弾性屈曲片４ａは、折り返し片４ｃと一対の接触片４ｄ・４ｅを含んでいる。折り返し片４ｃは、弾性屈曲片４ａの先端部が屈曲して、弾性屈曲片４ａの基端部に向かって延びている。一対の接触片４ｄ・４ｅは、折り返し片４ｃの両翼に互いに相反する向きに延びている。折り返し片４ｃは、弾性屈曲片４ａの先端部が屈曲しており、背面板４ｂと弾性屈曲片４ａとの間を弾性屈曲片４ａの基端部に向かって延びている。
【００８３】
一方、図３において、第３コンタクト部５２は、逃げ部５ａと一対の接触部５ｄ・５ｅを含んでいる。逃げ部５ａは、弾性屈曲片４ａが当接しないように、先端側から基端側に向かって矩形に切り欠かれている（図１７参照）。一対の接触部５ｄ・５ｅは、逃げ部５ａの両翼に設けられ、一対の接触片４ｄ・４ｅが当接可能となっている（図１２参照）。そして、プラグ９をプラグ収容室１１に挿入すると、一対の接触片４ｄ・４ｅが変位して一対の接触部５ｄ・５ｅから離反する（図１参照）。
【００８４】
次に、本発明によるジャックの構成の詳細を説明する。図１において、プラグ９は、ジャック１０と電気的に接続するために、ケーブルの先端に取り付けられる接続器であってよく、導電性金属で形成された筒状の内側端子９１及び外側端子９２を有している。内側端子９１は、先端が開口されており、第１コンタクト３の中空柱状部３ａが挿入可能である。内側端子９１の外周は絶縁性の合成樹脂で被覆されており、外側端子９２で囲われている。外側端子９２には、第２コンタクト４の弾性屈曲片４ａが接触する。外側端子９２の先端は開口されており、内側端子９１の先端面と外側端子９２の先端面とは、揃っている。
【００８５】
図１において、プラグ９は、内側端子９１と外側端子９２とが同心円状に配置される二重管構造となっている。プラグ９の基端側は、絶縁性の合成樹脂で被覆されており、図示しないケーブルが延出されている。そして、プラグ９の基端側が把持されて、ジャック１０に挿抜される。
【００８６】
図１又は図１１において、ハウジング１は、略直方体の形状であるが、電線挿通部１２がハウジング１の一部から突出している。図１において、カバーハウジング２は、略板状の形状であるが、ハウジング１に設けられた電線挿通部１２を覆う部分が突出している（図１０参照）。
【００８７】
図９に示されるように、ハウジング１は、プラグ挿入口１ａが開口した一方の面１ａａが矩形に形成されている。図９において、プラグ挿入口１ａに対向するハウジング１の他方の面１ｂｂは、一方の面１ａａと一方の両辺が同じであり、他方の両辺が一方の面１ａａの両辺より長くなっている矩形に形成されている（図１３参照）。ハウジング１の側面視は、略Ｌ字状になっている（図１参照）。ハウジング１の他方の面１ｂｂには、第１開口１３ａ及び第２開口１４ａが開口されている。
【００８８】
図９において、ハウジング１の一方の面１ａａは、プラグ９が挿入される側の面であって、一方の面１ａａが電子機器のパネル（図示せず）から露出してもよく、プラグ挿入口１ａ以外の一方の面１ａａが、このパネルで遮蔽されてもよい。一方の面１ａａの両翼に形成された一対の溝１ｐ・１ｐを利用して、ジャック１０を例えば、分割されたパネルに取り付けることができる。
【００８９】
図１７において、プラグ収容室１１は、プラグ９を受容する空間であってよく、第１コンタクト３及び第２コンタクト４を収納する空間であってよく、ハウジング１内に形成されている（図１参照）。プラグ９をプラグ収容室１１に挿入することにより、第１コンタクト３及び第２コンタクト４が接続される（図１参照）。
【００９０】
図１１において、ハウジング１は、相反する向きに開放する一対のスライド溝１２ａ・１２ｂを他方の面１ｂｂの両翼に設けている（図８参照）。又、電線挿通部１２には、相反する向きに開放する一対のスライド溝１２ｃ・１２ｄを電線挿通部１２の突出部の両翼に設けている。
【００９１】
一方、図１１において、カバーハウジング２は、一対のスライド溝１２ａ・１２ｂに案内される対向する一対の案内片２２ａ・２２ｂを、一方の端部側の内壁に設けている（図８及び図１０参照）。又、カバーハウジング２は、一対のスライド溝１２ｃ・１２ｄに案内される対向する一対の案内片２２ｃ・２２ｄを、他方の端部側の内壁に設けている。カバーハウジング２は、プラグ９が挿入される方向と直交する方向から、ハウジング１の他方の面１ｂｂをスライド可能に閉塞することができる。
【００９２】
図１３において、一対のランス１２ｅ・１２ｆをハウジング１の他方の面１ｂｂの両翼に設けている（図１及び図１１参照）。一方、一対のランス１２ｅ・１２ｆに係合する一対の係止穴２２ｅ・２２ｆをカバーハウジング２の対向する内壁に設けている。そして、一対のランス１２ｅ・１２ｆが一対の係止穴２２ｅ・２２ｆに係合して、ハウジング１にカバーハウジング２を係止できる。
【００９３】
図１４から図１６において、第１から第３コンタクト３・４・５は、導電性を有し、展開された導電性の金属板が折り曲げ成形されて、所望の形状のコンタクトを得ている。図１において、第１から第３電線３ｗ・４ｗ・５ｗは、電流が流れる導線と、この導線を外部から絶縁する被覆とで構成されている。
【００９４】
図１４において、第１圧着部３１には、電線の端末の被覆が剥離された導線を圧着するコンダクタグリップ３ｇ１が設けられている。又、第１圧着部３１には、この導線近傍の被覆を圧着するインシュレーショングリップ３ｇ２が設けられている。第１圧着部３１に第１電線３ｗが圧着された後に、第１コンタクト３は、ハウジング１に配置される（図１参照）。
【００９５】
同様に、図１５において、第２圧着部４１には、コンダクタグリップ４ｇ１とインシュレーショングリップ４ｇ２が設けられている。第２圧着部４１に第２電線４ｗが圧着された後に、第２コンタクト４は、ハウジング１に配置される（図１参照）。又、図１６において、第３圧着部５１には、コンダクタグリップ５ｇ１とインシュレーショングリップ５ｇ２が設けられている。第３圧着部５１に第３電線５ｗが圧着された後に、第３コンタクト５は、ハウジング１に配置される（図１参照）。
【００９６】
図１３において、第１開口１３ａは、中空柱状部３ａが挿入されるべく、円形に開口されている（図４参照）。図４において、第１コンタクト部３２は、第１収容室１３に圧入されるように挿入されて、保持される。図１３において、第１開口１３ａの周辺には、第１係止部１３１及び第２係止部１３２を設けている。第２開口１４ａは、弾性屈曲片４ａが挿入されるべく、矩形に開口されている（図２参照）。第２収容室１４は、一対のスリット１４１・１４２を含むことができる（図１３参照）。
【００９７】
図４において、第１係止部１３１は、隅部が第１開口１３ａを部分的に形成し、この隅部に直交する一組の立設壁１ｗ１・１ｗ２を含むことができる。そして、中空柱状部３ａの主軸が一方の方向に回転しようとすると、直交片３ｂｃの短片３ｂが一方の立設壁１ｗ１に当接して回転が抑制される。中空柱状部３ａの主軸が他方の方向に回転しようとすると、直交片３ｂｃの長片３ｃが他方の立設壁１ｗ２に当接して回転が抑制される。
【００９８】
図４において、第２係止部１３２は、第１開口１３ａの周辺に設けられるランスとすることができる。このランスは、先端部に斜面を設けてよく、この斜面に連続する段差を設けてよく、槍状に形成されている。中空柱状部３ａを第１開口１３ａに挿入すると、長片３ｃがランスの斜面に当接して、ランスの先端部を撓ますことができる。中空柱状部３ａを第１開口１３ａに完全に挿入すると、ランスが復帰して段差が長片３ｃの一部に係合して中空柱状部３ａを所定の位置に止めることができる（図１８参照）。
【００９９】
図１２において、第２コンタクト部４２は、矩形の背面板４ｂと弾性屈曲片４ａとで構成されており、縦断面がＪ字型に形成されている（図１５参照）。背面板４ｂと弾性屈曲片４ａとは、屈曲部４ｆで結合されており、屈曲部４ｆは、弾性屈曲片４ａの弾性による戻し力を担保している。
【０１００】
図２において、第２収容室１４は、第２コンタクト部４２を第２収容室１４に導くように、背面板４ｂの両翼を案内する一対のスリット１４１・１４２を含んでいる（図１３参照）。一対のスリット１４１・１４２は、背面板４ｂの両翼を挿入し、第２コンタクト部４２をスムーズにハウジング１に挿入するように、背面板４ｂの動きを一方向に制限できる。
【０１０１】
図２において、背面板４ｂには、コンタクトランス４ｒを設けている。第２収容室１４には、コンタクトランス４ｒに係合する係止穴１ｈを設けている（図１７参照）。コンタクトランス４ｒと係止穴１ｈを設けることにより、第２コンタクト部４２を所定の位置で係止できる（図１７参照）。
【０１０２】
図３において、第３コンタクト部５２は、第２開口１４ａから挿入され、第２収容室１４に収容される。第２収容室１４には、第３コンタクト部５２の両翼を案内する一対のスリット１４３・１４４が設けられている（図１３参照）。第３コンタクト部５２は、一対のスリット１４３・１４４にガイドされて、第２コンタクト部４２に隣接してハウジング１に配置される。第３コンタクト部５２は、第２収容室１４の底部に当接して、所定の位置に停止できる。そして、第３電線５ｗは、電線挿通部１２に延出している。
【０１０３】
次に、本発明によるジャックの組立手順を説明する。図１に示されるように、予め、第１から第３コンタクト３・４・５の各第１から第３圧着部３１・４１・５１に、第１から第３電線３ｗ・４ｗ・５ｗを圧着しておく。なお、第１から第３電線３ｗ・４ｗ・５ｗは、各第１から第３圧着部３１・４１・５１から所定の長さに予め切断されている。
【０１０４】
最初に、図２に示すように、第２コンタクト４の第２コンタクト部４２を第２開口１４ａ側から第２収容室１４に挿入する。図３は、第２コンタクト４が挿入されて、ハウジング１に固定された状態であり、第２圧着部４１以降の第２電線４ｗが、電線挿通部１２から延出している。
【０１０５】
次に、図３に示すように、第３コンタクト５の第３コンタクト部５２を第２開口１４ａ側から第２収容室１４に挿入する。図４は、第３コンタクト５が挿入されて、ハウジング１に固定された状態であり、第３圧着部５１以降の第３電線５ｗが、電線挿通部１２から延出している。
【０１０６】
次に、図４に示すように、第１コンタクト３の第１コンタクト部３２を第１開口１３ａ側から第１収容室１３に挿入する。図５は、第１コンタクト３が挿入されて、ハウジング１に固定された状態であり、第１圧着部３１以降の第１電線３ｗが、電線挿通部１２から延出している。
【０１０７】
次に、図６に示すように、第１から第３電線３ｗ・４ｗ・５ｗがカバーハウジング２の内部に取り込まれるように、ハウジング１とカバーハウジング２とを配置する。そして、ハウジング１とカバーハウジング２とを相互に近づけ、カバーハウジング２をハウジング１にスライドする。
【０１０８】
図７又は図８において、カバーハウジング２は、一対の案内片２２ａ・２２ｂ及び一対の案内片２２ｃ・２２ｄが一対のスライド溝１２ａ・１２ｂ及び一対のスライド溝１２ｃ・１２ｄに案内されて、ハウジング１の他方の面１ｂｂを閉塞している（図１参照）。カバーハウジング２は、第２コンタクト４及び第３コンタクト５を閉塞して、ハウジング１に保持しているということもできる。図７又は図８において、一対のランス１２ｅ・１２ｆが一対の係止穴２２ｅ・２２ｆに係合して、ハウジング１はカバーハウジング２を係止している。
【０１０９】
次に、本発明によるジャックの作用を説明する。図７又は図８において、ハウジング１とカバーハウジング２で包囲された第１から第３圧着部３１・４１・５１以降の第１から第３電線３ｗ・４ｗ・５ｗをジャック１０の外に延出している（図１参照）。
【０１１０】
このように、本発明によるジャックは、第１から第３圧着部３１・４１・５１の近傍の電線３ｗ・４ｗ・５ｗを外部から機械的変形を受けにくいものとしている。同時に、外部からの物理的及び電気的な接触を遮蔽できる構造としている。特に、使用時において第１から第３圧着部３１・４１・５１が視覚的にも遮蔽されるので、使用者に安全感を与えられると考えられる。
【０１１１】
又、図９において、ハウジング１の一方の面１ａａの略中央に開いた丸い開口は、ジャックに接続されるプラグ９の外側端子９２が挿入されるプラグ挿入口１ａである。プラグ挿入口１ａから、第１コンタクト３の中空柱状部３ａの先端が見えている。又、第２コンタクト４の弾性屈曲片４ａが第２収容室１４（図１参照）の開口部分より見えている。
【０１１２】
本発明によるジャックは、第１コンタクトと第２コンタクトとをそれぞれに正負又は正とアースのような関係で用いることができる。本発明によるジャックは、組立又は分解がいつでも可能となっており、例えば、ランスによる係合を解除して、上述した逆の手順で各部品を分解することができる。
【０１１３】
図１７又は図１８において、カバーハウジング２に設けられた隆起部２１の隆起面と中空柱状部３ａの基端部とのクリアランスに突条２２が突出している。突条２２が第１コンタクト３の中空柱状部３ａをプラグ挿入口１ａに向けて押圧することにより、第１コンタクト３の姿勢が維持できる。
【０１１４】
より具体的には、図１７において、突条２２が中空柱状部３ａの先端側と対向する対向片３ｅを押圧することより（図４参照）、第１コンタクト３の姿勢を維持できる。図１７において、突条２２の進入方向側が低くなるように、対向片３ｅに段差が設けられており、突条２２は対向片３ｅを押圧しつつスライドできる。
【０１１５】
本発明によるジャックは、中空柱形状のコンタクトの基端側を閉塞するカバーハウジングの内壁に突条を設け、この突条が中空柱形状のコンタクトの基端側を押圧することにより、当該コンタクトの姿勢を維持する小型のジャックを提供できる。
【０１１６】
又、本発明によるジャックは、第２コンタクトと第３コンタクトとが、ジャックにプラグが挿入されたことを検知するスイッチを構成していると考えることができる。ジャックにプラグが挿入されていないときは、第２コンタクトと第３コンタクトはオン状態である。ジャックにプラグが挿入されたときは、第２コンタクトと第３コンタクトはオフ状態である。
【０１１７】
より具体的には、図１７において、第２コンタクト４の折り返し片４ｃは、弾性屈曲片４ａの先端部が屈曲しており、背面板４ｂと弾性屈曲片４ａとの間を弾性屈曲片４ａの基端部に向かって延びている（図４参照）。ジャック１０にプラグ９が挿入されていないときは、弾性屈曲片は、逃げ部５ａを通過して、プラグ収容室１１の内部に突出している（図１及び図３参照）。ジャック１０にプラグ９が挿入されたときは、弾性屈曲片４ａは後退するように変位して、第２コンタクト４の一対の接触片４ｄ・４ｅが第３コンタクト５の一対の接触部５ｄ・５ｅから離反する（図１及び図３参照）。
【０１１８】
本発明によるジャックは、ジャックにプラグが挿入されたことを検知する機能が付加されているので、便利である。特に、発明によるジャックは、プラグの挿入検知機能を有するスイッチ端子となる第３コンタクトをハウジングにコンパクトに収容している。
【０１１９】
本発明によるジャックは、ＰＤＡなどの小型の携帯型電子機器などに使用されてよく、中空柱形状のコンタクトの姿勢を正しく維持し、プラグの挿入検知機能を有する小型のジャックを提供できる。
【図面の簡単な説明】
【０１２０】
【図１】本発明の一実施形態によるジャックの斜視分解組立図である。
【図２】前記実施形態によるジャックの斜視外観図であり、第２コンタクトがハウジングに組み込まれる前の状態図である。
【図３】前記実施形態によるジャックの斜視外観図であり、第３コンタクトがハウジングに組み込まれる前の状態図である。
【図４】前記実施形態によるジャックの斜視外観図であり、第１コンタクトがハウジングに組み込まれる前の状態図である。
【図５】前記実施形態によるジャックの斜視外観図であり、ハウジングに第１から第３コンタクトが組み込まれたジャックを他方の面から観ている。
【図６】前記実施形態によるジャックの斜視外観図であり、カバーハウジングがハウジングに組み込まれる前の状態図である。
【図７】前記実施形態によるジャックの斜視外観図であり、カバーハウジングがハウジングに組み込まれた状態図である。
【図８】前記実施形態によるジャックの斜視外観図であり、図７と異なる方向からジャックを観ている。
【図９】前記実施形態によるジャックの斜視外観図であり、ジャックをハウジングの一方の面から観ている。
【図１０】前記実施形態によるジャックに備わるカバーハウジングの斜視外観図である。
【図１１】前記実施形態によるジャックに備わるハウジングの斜視外観図である。
【図１２】前記実施形態によるジャックに備わる第２コンタクトの斜視外観図であり、図１と異なる方向から第２コンタクトを観ている。
【図１３】前記実施形態によるジャックに備わるハウジングの平面図である。
【図１４】前記実施形態によるジャックに備わる第１コンタクトを示す図であり、図１４（Ａ）は第１コンタクトの平面図、図１４（Ｂ）は第１コンタクトの右側面図である。
【図１５】前記実施形態によるジャックに備わる第２コンタクトを示す図であり、図１５（Ａ）は第２コンタクトの平面図、図１５（Ｂ）は第２コンタクトの右側面図である。
【図１６】前記実施形態によるジャックに備わる第３コンタクトを示す図であり、図１６（Ａ）は第３コンタクトの平面図、図１６（Ｂ）は第３コンタクトの右側面図である。
【図１７】前記実施形態によるジャックの縦断面図である。
【図１８】前記実施形態によるジャックの縦断面図であり、図１７のＸ−Ｘ矢視断面を示している。
【符号の説明】
【０１２１】
１  ハウジング
１ａ  プラグ挿入口
１ａａ  一方の面（ハウジングの一方の面）
１ｂｂ  他方の面（ハウジングの他方の面）
２  カバーハウジング
３  第１コンタクト
３ａ  中空柱状部
３ｗ  第１電線
４  第２コンタクト
４ａ  弾性屈曲片
４ｗ  第２電線
５  第３コンタクト
５ｗ  第３電線
９  プラグ
１０  ジャック
１１  プラグ収容室
１２  電線挿通部
２１  隆起部
２２  突条
３１  第１圧着部
３２  第１コンタクト部
４１  第２圧着部
４２  第２コンタクト部
５１  第３圧着部
５２  第３コンタクト部
９１  内側端子
９２  外側端子
【図１】
2008130285.tif 000003
【図２】
2008130285.tif 000004
【図３】
2008130285.tif 000005
【図４】
2008130285.tif 000006
【図５】
2008130285.tif 000007
【図６】
2008130285.tif 000008
【図７】
2008130285.tif 000009
【図８】
2008130285.tif 000010
【図９】
2008130285.tif 000011
【図１０】
2008130285.tif 000012
【図１１】
2008130285.tif 000013
【図１２】
2008130285.tif 000014
【図１３】
2008130285.tif 000015
【図１４】
2008130285.tif 000016
【図１５】
2008130285.tif 000017
【図１６】
2008130285.tif 000018
【図１７】
2008130285.tif 000019
【図１８】
2008130285.tif 000020